(57)【特許請求の範囲】
【請求項１】
建物の基礎上に設置される免震装置と、
該免震装置と、建物本体の底部に構築されるコンクリート製の上部架台との間に設けられる免震装置取付用の上部ベースプレートとを有し、
該上部ベースプレートは、トラス筋と、上記免震装置の上面に当該上部ベースプレートを固定するためのボルトを螺合させる袋ナットとが一体化されたハーフプレキャストコンクリート版からなるとともに、上記トラス筋が上記上部架台に一体的に埋設されることにより当該上部架台に接合されることを特徴とする免震装置の取付構造。
【請求項２】
前記上部ベースプレートの平面形状は、前記上部架台の下面全体を覆うことを特徴とする請求項１に記載の免震装置の取付構造。
【請求項３】
前記免震装置と、前記建物の基礎上に立設されるコンクリート製の下部架台との間に設けられる免震装置取付用の下部ベースプレートを有し、
該下部ベースプレートは、トラス筋と、当該下部ベースプレート上に上記免震装置を固定するためのボルトを螺合させる袋ナットとが一体化されたハーフプレキャストコンクリート版からなるとともに、上記トラス筋が上記下部架台に一体的に埋設されることにより当該下部架台に接合されることを特徴とする請求項１または２に記載の免震装置の取付構造。
【請求項４】
前記免震装置の上面に前記上部ベースプレートを固定するステップと、
該上部ベースプレートの上部にコンクリートを打設して前記上部架台を構築するとともに、当該上部ベースプレートと当該上部架台とを接合するステップと
を有することを特徴とする請求項１に記載の免震装置の取付構造の施工方法。
【請求項５】
前記下部架台のコンクリート打設空間の上に、前記下部ベースプレートを位置決め配置するステップと、
上記下部架台の上記コンクリート打設空間にコンクリートを打設して当該下部架台を構築するとともに、上記下部ベースプレートと当該下部架台とを接合するステップと、
上記下部ベースプレートの上面に前記免震装置を固定するステップと
を有することを特徴とする請求項３に記載の免震装置の取付構造の施工方法。
【請求項６】
前記下部ベースプレートを位置決め配置するステップは、当該下部ベースプレートの前記トラス筋を前記建物の基礎側に固定することによって当該下部ベースプレートの位置ずれを防止するステップを含むことを特徴とする請求項５に記載の免震装置の取付構造の施工方法。
【請求項７】
建物の基礎上に設置される免震装置と、建物本体の底部に構築されるコンクリート製の上部架台や上記建物の基礎上に立設されるコンクリート製の下部架台との間に設けられる免震装置取付用ベースプレートであって、
トラス筋と、上記免震装置取付用ベースプレートに上記免震装置を固定するためのボルトを螺合させる袋ナットとが一体化されたハーフプレキャストコンクリート版からなるとともに、
上記トラス筋が上記上部架台や上記下部架台に一体的に埋設されることにより当該上部架台や当該下部架台に接合されることを特徴とする免震装置取付用ベースプレート。
【発明の詳細な説明】
【技術分野】
【０００１】
本発明は、免震装置取付用のベースプレートを上部架台や下部架台に一体的に接合するための定着部の施工を大幅に簡略化することが可能な、免震装置の取付構造、その施工方法、およびそれらに使用される免震装置取付用ベースプレートに関する。
【背景技術】
【０００２】
従来、建物の基礎と本体との間に免震装置を取り付けるその取付構造は、例えば図７に示すようなものであった。すなわち、建物の基礎８０上に設置される免震装置８１と、建物本体８２の底部に構築されるコンクリート製の上部架台８３との間には、鋼製の、免震装置取付用の上部ベースプレート８４が設けられており、当該上部ベースプレート８４の下面側は、免震装置８１の上端面、すなわち免震装置８１の上部フランジプレート８１ａの上面に、ボルト８５と袋ナット８６などの締結具を用いて固定される。そのため上部ベースプレート８４にはボルト８５を螺合させるためのボルト孔が形成されているとともに、当該ボルト孔に対応する位置に袋ナット８６が溶接される。上部ベースプレート８４の免震装置８１と接する面、すなわち下面側は、免震装置８１の上端面にぴったりと密着するよう高い平滑度が要求される。
【０００３】
ところが図８に示すように、上部ベースプレート８４の上面側には、上記袋ナット８６や、上部架台８３に一体的に埋設されて定着部（アンカー）を構成するための複数のアンカーボルト８７（図８および図９において取り付けられる位置を×印で示している）などが溶接されるため、上部ベースプレート８４には波打つような反りを形成する溶接ひずみが生じやすい。このようなひずみが生じると、上部ベースプレート８４と免震装置８１との間の上下方向の圧接力が均等に分散されず、水平方向の震動に対する摩擦抗力が十全に発揮されない。また、免震装置８１の上端面と接合するための締結具、すなわち本図示例にあってはボルト８５と袋ナット８６との締結力が不均一になり、全体として締結力が低下してしまう。
【０００４】
このような問題を回避するため、上部ベースプレート８４は、一定以上の厚み、例えば２５ｍｍ程度の厚さ寸法を有するとともに、溶接しても反りがほとんど生じないよう、高度な技術により製造される必要があり、結果的に製造コストが非常に高くなってしまっていた。また、図７のように上部架台８３の平面寸法よりも上部ベースプレート８４の寸法が小さい場合には、上部架台８３のコンクリートを打設する際にその下面の一部、すなわち上部ベースプレート８４により覆われない部分に型枠Ｆを設ける必要があり、さらにはこの型枠を支持する支保工Ｓを設ける必要があったため、これらの設置および解体に手間がかかり、不利であった。
【０００５】
以上の事情は、建物の基礎８０上に立設されるコンクリート製の下部架台８８と免震装置８１との間に設けられる免震装置取付用の下部ベースプレート８９についても全く同様であった。図９には下部ベースプレート８９の平面図を示しているが、袋ナット８６やアンカーボルト８７が下面側、すなわち下部架台８８側に突出するよう溶接されている点や、下部架台８８を打設するためのコンクリート充填孔９０が形成されている点などを除いて上部ベースプレート８４とほぼ同様の構成であり、上述の不利な点についても同様であった。
【０００６】
そこで、鋼板からなる免震装置取付用ベースプレートの代わりにプレキャストコンクリート（以下、ＰＣａという）製のベースプレートを用いた技術として、例えば特許文献１に開示されたものが知られている。特許文献１の「建築構造物の施工における免震装置の取付工法」は、免震装置を下部基礎の施工に際して取り付けるための技術分野に属するものであって、ＰＣａからなる下部ベースプレート（「下部アンカープレート」）を、下部架台（「基礎立ち上がり部」）のコンクリート打設空間に設けたアンカーフレームにアンカーボルトを介して連結する工程と、前記コンクリート打設空間にコンクリートを打設して下部架台を施工するとともに当該下部架台と前記下部ベースプレートとを一体的に接合する工程と、免震装置の下部フランジプレートを前記下部ベースプレート上に、ナットにねじ込むボルトを介して固定する工程とからなる（「請求項１」など参照）。工場で高強度コンクリートを用いて予め成形された均一な板厚を有する下部ベースプレートには、厚さ方向（上下方向）に複数の長ナットが一体的に貫設されている。そして、現場における施工時に、各長ナットの下部に、下部架台のコンクリート中に埋設一体化されて定着を図るアンカーボルトをねじ込んで取り付けるとともに、これら各アンカーボルトの下部をアンカーフレームに溶接する（「発明の実施の形態」、段落番号００１０、００１１など参照）。また、上部ベースプレート（「上部アンカープレート」）に、下部ベースプレートと同様のＰＣａ製のベースプレートを用いることについても開示されており、その場合は、免震装置の上部フランジプレート上に、下部ベースプレート同様のＰＣａ製で厚さ方向に複数の長ナットが一体的に貫設された均一な板厚の上部ベースプレートを位置決め配置し、上部フランジプレート上に上部ベースプレートを固定した後、上部架台（「上部基礎」）のコンクリート中に埋設一体化されて定着を図るアンカーボルトが各長ナットの上部に螺合されて取り付けられ、上部架台用の鉄筋やアンカーフレームの形成、コンクリートの打設などを経て上部架台が構築される（「発明の実施の形態」、段落番号００１７、００１８など参照）。長ナットとアンカーボルトは、上部ベースプレートにおいても下部ベースプレートにおいてもそれぞれ複数設けられている（図４など参照）。
【特許文献１】特開平１０−８８８５３号公報
【発明の開示】
【発明が解決しようとする課題】
【０００７】
ところで、上記特許文献１の背景技術にあっては、免震装置取付用のベースプレートを上部架台や下部架台に一体的に接合するために上部架台や下部架台のコンクリート中に埋設一体化されて定着を図る定着部として、アンカーボルトを用いていたが、上述のようにその施工方法は、アンカーボルトをそれぞれ上部ベースプレートあるいは下部ベースプレートの長ナットにねじ込んで取り付けた後、上部架台あるいは下部架台内に組み立てられたアンカーフレームに溶接した上で、上部架台あるいは下部架台にコンクリートを打設し一体的に埋設して定着部となすといった、工数の多い、非常に手間のかかるものであった。しかもこれら長ナットとアンカーボルトは、上部ベースプレートにおいても下部ベースプレートにおいてもそれぞれ複数設けられているので、ねじ込みや溶接などの作業もその本数だけ行う必要があり、全体として非常に手間のかかるものであった。
【０００８】
本発明は上記従来の課題に鑑みて創案されたものであって、免震装置取付用のベースプレートを上部架台や下部架台に一体的に接合するための定着部の施工を大幅に簡略化することが可能な、免震装置の取付構造、その施工方法、およびそれらに使用される免震装置取付用ベースプレートを提供することを目的とする。
【課題を解決するための手段】
【０００９】
本発明にかかる免震装置の取付構造は、建物の基礎上に設置される免震装置と、該免震装置と、建物本体の底部に構築されるコンクリート製の上部架台との間に設けられる免震装置取付用の上部ベースプレートとを有し、該上部ベースプレートは、トラス筋と、上記免震装置の上面に当該上部ベースプレートを固定するためのボルトを螺合させる袋ナットとが一体化されたハーフプレキャストコンクリート版からなるとともに、上記トラス筋が上記上部架台に一体的に埋設されることにより当該上部架台に接合されることを特徴とする。
【００１０】
また、前記上部ベースプレートの平面形状は、前記上部架台の下面全体を覆うことを特徴とする。
【００１１】
また、前記免震装置と、前記建物の基礎上に立設されるコンクリート製の下部架台との間に設けられる免震装置取付用の下部ベースプレートを有し、該下部ベースプレートは、トラス筋と、当該下部ベースプレート上に上記免震装置を固定するためのボルトを螺合させる袋ナットとが一体化されたハーフプレキャストコンクリート版からなるとともに、上記トラス筋が上記下部架台に一体的に埋設されることにより当該下部架台に接合されることを特徴とする。
【００１２】
また、本発明にかかる免震装置の取付構造の施工方法は、前記免震装置の上面に前記上部ベースプレートを固定するステップと、該上部ベースプレートの上部にコンクリートを打設して前記上部架台を構築するとともに、当該上部ベースプレートと当該上部架台とを接合するステップとを有することを特徴とする。
【００１３】
また、前記下部架台のコンクリート打設空間の上に、前記下部ベースプレートを位置決め配置するステップと、上記下部架台の上記コンクリート打設空間にコンクリートを打設して当該下部架台を構築するとともに、上記下部ベースプレートと当該下部架台とを接合するステップと、上記下部ベースプレートの上面に前記免震装置を固定するステップとを有することを特徴とする。
【００１４】
また、前記下部ベースプレートを位置決め配置するステップは、当該下部ベースプレートの前記トラス筋を前記建物の基礎側に固定することによって当該下部ベースプレートの位置ずれを防止するステップを含むことを特徴とする。
【００１５】
また、本発明にかかる免震装置取付用ベースプレートは、建物の基礎上に設置される免震装置と、建物本体の底部に構築されるコンクリート製の上部架台や上記建物の基礎上に立設されるコンクリート製の下部架台との間に設けられる免震装置取付用ベースプレートであって、トラス筋と、上記免震装置取付用ベースプレートに上記免震装置を固定するためのボルトを螺合させる袋ナットとが一体化されたハーフプレキャストコンクリート版からなるとともに、上記トラス筋が上記上部架台や上記下部架台に一体的に埋設されることにより当該上部架台や当該下部架台に接合されることを特徴とする。
【発明の効果】
【００１６】
本発明にかかる免震装置の取付構造、その施工方法、および免震装置取付用ベースプレートにあっては、免震装置取付用のベースプレートを上部架台や下部架台に一体的に接合するための定着部の施工を大幅に簡略化することが可能となる。
【発明を実施するための最良の形態】
【００１７】
以下に、本発明にかかる免震装置の取付構造、その施工方法、および免震装置取付用ベースプレートの好適な一実施形態を、添付図面を参照して詳細に説明する。本実施形態にかかる免震装置の取付構造の施工方法を、図１から図４に示している。本実施形態の免震装置の取付構造は基本的には、建物の基礎１、例えば基礎梁などの上に立設されたコンクリート製の下部架台２と、当該下部架台２の上方、建物本体３の底部に構築されたコンクリート製の上部架台４との間に免震装置５を取り付ける構造である。
【００１８】
まず、図１に示すように、建物の基礎１の上に立設される下部架台２の、コンクリート打設空間２ａの上に、免震装置取付用ベースプレートである下部ベースプレート６を位置決め配置する。具体的には、まず下部架台２のコンクリート打設空間２ａ内に構築されたレベル調整フレーム７上に、下部ベースプレート６の下面に突設したレベル調整ボルト８を介して、下部ベースプレート６を載置する。レベル調整フレーム７の配置によって下部ベースプレート６の水平方向位置が位置決めされ、レベル調整フレーム７の上端に形成されたボルト孔７ａに螺合されるレベル調整ボルト８を調節することによって下部ベースプレート６の高さ位置を調整する。また、下部架台２のコンクリート打設空間２ａへのコンクリート打設に備え、型枠Ｆ１や、図示しない配筋などを設置する。
【００１９】
下部ベースプレート６は、図５にその平面図を示すように、複数のトラス筋９と、下部ベースプレート６上に免震装置５を固定するためのボルト１０を螺合させる複数の袋ナット１１とが一体化されたハーフプレキャストコンクリート版からなる。トラス筋９と袋ナット１１は、それらの上部がハーフプレキャストコンクリート版内に一体的に埋設されており、それらの下部が下方に突出するように設けられている。袋ナット１１の下部は、必ずしも下方に突出している必要はないが、本実施形態のように下方に突出する構成とすることにより、トラス筋９の下部と同様に下部架台２のコンクリート１４内に埋設一体化されて定着作用を発揮するので好ましい。また本実施形態の袋ナット１１の下端にはフランジ状の鍔部１１ａが形成されており、このような鍔部１１ａを形成することは下部架台２のコンクリート１４内への定着作用をより一層高めることができるので好ましい。袋ナット１１の、ボルト１０を螺合する側の端部である上端部の位置は、下部ベースプレート６の上面とほぼ一致するように形成されている。
【００２０】
各トラス筋９は、ハーフプレキャストコンクリート版内に延びる２本の上端配力筋（図示省略）と、当該上端配力筋と平行に延びる１本の下端配力筋９ａとの間に四角錐型のラチス筋９ｂを組み合わせて構成されており、各ラチス筋９ｂの四角錐の頂点が下方を向くよう構成されている。
【００２１】
下部架台２のコンクリート打設空間２ａ上に位置決め配置された下部ベースプレート６の、コンクリート打設時などにおける位置ずれを防止するためには、下部ベースプレート６のトラス筋９を利用して建物の基礎１側に固定することが好ましい。具体的には、本実施形態にあっては、下端部が建物の基礎１に固定された位置固定用鉄筋１２を用いて、当該位置固定用鉄筋１２の上端付近をトラス筋９の下端配力筋９ａに固定することにより位置ずれを防止している。図９に示した背景技術における鋼板製の下部ベースプレート８９にあっては、その下面側に、下部架台２との間の定着を図るためのアンカーボルト８７のみならず、位置ずれ防止用の固定手段であるスタッドボルト９１（図９において、その取り付けられる位置を△で示している）が設けられていたが、本実施形態の下部ベースプレート６にあっては、トラス筋９の下方突出部分を位置ずれ防止用の固定手段として利用することができるので、特段従来のようなスタッドボルトなどを設ける必要がなく、有利である。
【００２２】
次いで、図２に示すように、下部ベースプレート６のコンクリート充填孔１３を介して、型枠Ｆ１により囲繞される下部架台２のコンクリート打設空間２ａにコンクリート１４を打設し、下部架台２を構築するとともに、下部ベースプレート６と下部架台２とを接合する。具体的には、下部ベースプレート６のトラス筋９の下方に突出した部分が、下部架台２に一体的に埋設されることによりコンクリート１４の硬化を経てコンクリート１４に対する定着作用を発揮し、下部ベースプレート６と下部架台２とを一体的に接合する。またこの際、上述したように、袋ナット１１の鍔部１１ａを有する下部が下部架台２に一体的に埋設されることによっても定着効果が得られる。この時点ではまだ、図２に示すように下部ベースプレート６と下部架台２の上面との間に隙間が存在していてもよい。なお、図２にではコンクリート１４が既に硬化した状態で示している。
【００２３】
上記特許文献１に開示された従来技術の場合には、下部ベースプレートと下部架台との間の定着を図るための定着部として、アンカーボルトのような特別の部材を使用する必要があり、さらには上述したように、そのアンカーボルトの下部ベースプレートおよび下部架台側への取り付け作業は非常に手間のかかるものであった。これに対し本実施形態にあっては、定着部として機能するトラス筋９が、もともと下部ベースプレート６に一体的に埋設されて形成されているため、現場の施工においてはただ単にコンクリート１４を打設するだけで定着部を形成することができる。また、工場においてトラス筋９を一体化させたハーフプレキャストコンクリート版からなる下部ベースプレート６を製造する製法は、あらかじめ組み立てられたトラス筋９を埋設一体化するようにコンクリート１４を打設するだけであって、非常に簡単である。これに対し上記従来技術では、上述したように、複数のアンカーボルトを下部ベースプレートの長ナットにひとつひとつねじ込まなければならず、非常に手間のかかるものであった。
【００２４】
次いで、図３に示すように、下部ベースプレート６のコンクリート充填孔１３を介して、下部ベースプレート６と下部架台２の上面との間の隙間を埋めるようにグラウト１５を注入する。この際、隙間に存在していた空気が下部ベースプレート６に複数形成されたエアー抜き孔１６から排出され、当該エアー抜き孔１６やコンクリート充填孔１３の高さまでグラウト１５が充填されて、グラウト１５の硬化を経て、下部ベースプレート６と下部架台２の上面とが空隙なく接合される。
【００２５】
次いで、まず下部ベースプレート６の上面に、図４に示すように免震装置５が載置され両者が互いに固定される。本実施形態における免震装置５は積層ゴム５ａの上下にフランジプレート５ｂ、５ｃが設けられたものである。免震装置５の下部フランジプレート５ｂトに形成されたボルト孔（図示省略）を介して、ボルト１０を上方から、下部ベースプレート６の袋ナット１１に螺合させることによって、免震装置５が下部ベースプレート６に固定される。
【００２６】
そして次に、免震装置５の上部フランジプレート５ｃの上面に免震装置取付用ベースプレートである上部ベースプレート１７が固定される。具体的には、免震装置５の上部フランジプレート５ｃに形成されたボルト孔（図示省略）を介して、ボルト１８を下方から、上部ベースプレート１７の袋ナット２０に螺合させることによって、免震装置５が上部ベースプレート１７に固定される。
【００２７】
ここで、上部ベースプレート１７の構成は、図６にその平面図を示すように、複数のトラス筋１９と、免震装置５の上面に上部ベースプレート１７を固定するためのボルト１８を螺合させる複数の袋ナット２０とが一体化されたハーフプレキャストコンクリート版からなる。なお、図６では、袋ナット２０はその断面のみを点線で描いている。トラス筋１９と袋ナット２０は、それらの下部がハーフプレキャストコンクリート版内に一体的に埋設されており、それらの上部が上方に突出するように設けられている。袋ナット２０の上部は、必ずしも上方に突出している必要はないが、本実施形態のように上方に突出する構成とすれば、トラス筋９の上部と同様に上部架台４のコンクリート２１内に埋設一体化されて定着作用を発揮するので好ましい。また本実施形態の袋ナット２０の上端にはフランジ状の鍔部２０ａが形成されており、このような鍔部２０ａを形成することは上部架台４のコンクリート２１内への定着作用をより一層高めることができるので好ましい。袋ナット２０の、ボルト１８を螺合する側の端部である下端部の位置は、上部ベースプレート１７の下面とほぼ一致するように形成されている。
【００２８】
各トラス筋１９は、ハーフプレキャストコンクリート版内に延びる２本の下端配力筋（図示省略）と、当該下端配力筋と平行に延びる１本の上端配力筋１９ａとの間に四角錐型のラチス筋１９ｂを組み合わせて構成されており、各ラチス筋１９ｂの四角錐の頂点が上方を向くよう構成されている。以上要するに、上部ベースプレート１７の構成は、上下方向が逆転してはいるものの下部ベースプレート６とほぼ同様であるが、下部ベースプレート６と異なり、コンクリート充填孔やエアー抜き孔などは設けられていない。
【００２９】
そして次に、上部ベースプレート１７の上部に図４に示すようにコンクリート２１を打設して上部架台４を構築するとともに、上部ベースプレート１７と上部架台４とを接合する。具体的には、上部ベースプレート１７の外周部分に型枠Ｆ２を立設し、図示しない鉄筋の配筋などを経て、型枠Ｆ２の上方開口部からコンクリート２１を流し込む。この際、上部ベースプレート１７のトラス筋９の、上方に突出した部分が、上部架台４に一体的に埋設されることによりコンクリート２１の硬化を経て定着作用を発揮し、上部ベースプレート１７と上部架台４とが一体的に接合される。図４では、既に上部架台４のコンクリート２１が硬化した状態を示している。またこの際、上述したように、袋ナット２０の鍔部２０ａを有する上部が上部架台４に一体的に埋設されることによっても定着効果が得られる。
【００３０】
上部ベースプレート１７と上部架台４との間の定着を図るための定着部として、アンカーボルトのような特別の部材を使用する上記特許文献１に開示された従来技術のような場合と較べ、本実施形態にあっては、定着部として機能するトラス筋１９が、もともと上部ベースプレート１７に一体的に埋設されて形成されているため、現場の施工においてはただ単にコンクリート２１を打設するだけで定着部を形成することができる。また、工場においてトラス筋９を一体化させたハーフプレキャストコンクリート版からなる上部ベースプレート１７を製造する製法は、あらかじめ組み立てられたトラス筋９を埋設一体化するようにコンクリート２１を打設するだけであって、複数のアンカーボルトを上部ベースプレートの長ナットにひとつひとつねじ込まなければならない上記従来技術と較べ、非常に簡単である。
【００３１】
また、本実施形態における上部ベースプレート１７の平面形状は、上部架台４の下面と一致しており、従って上部架台４の下面全体を完全に覆うものである。そのため、上部架台４のコンクリート２１を打設するに際し、その下面部分の型枠としては上部ベースプレート１７をそのまま利用すればよく、下面部分の周縁部などにおいても特段、型枠やそれを支持する支保工を設ける必要がない。
【００３２】
以上の工程により、図４に示すような、本実施形態の免震装置５の取付構造が構築される。
【００３３】
本実施形態における免震装置取付用ベースプレートである、上部ベースプレート１７および下部ベースプレート６（以下、両者を指す場合は単にベースプレート６、１７という）についてさらに詳述する。工場で製造される本実施形態におけるベースプレート６、１７の、免震装置５と接する側の面は、免震装置５の上下のフランジプレート５ｂ、５ｃにぴったりと密着するよう、高い平滑度が要求されるため、平滑度の高い鋼板などの型枠を用いて打設される。
【００３４】
また、例えばグラウト１５やコンクリート２１の硬化に伴う膨張圧力などによりベースプレートに発生するひずみを極力防止することが必要となるが、本実施形態における、トラス筋９、１９が一体的に埋設されたハーフプレキャストコンクリート版からなるベースプレート６、１７にあっては、当該トラス筋９、１９がベースプレート６、１７の強度や曲げ剛性を高める補強筋として機能することから、そのようなひずみの発生を確実に防止できる。さらに、そのようなひずみをより一層確実に防止するために、ベースプレート６、１７のコンクリート部分を高強度コンクリートにより打設し形成することも有効である。また、ベースプレート６、１７のコンクリート部分にリブ、例えばトラス筋９の延びる方向に沿ってベースプレート６、１７の一端から他端まで延びるリブを設けることによってベースプレート６、１７の曲げ剛性を高めておくことや、プリストレスを導入しておくことによってベースプレート６、１７の曲げ剛性を高めておくことも有効である。
【００３５】
本実施形態におけるベースプレート６、１７の、上部架台４および下部架台２（以下、両者を指す場合は単に架台２、４という）に対する定着手段であるトラス筋９、１９は、特にその架台２、４側に突出したラチス筋９ｂ、１９ｂや配力筋９ａ、１９ａの構造が、架台２、４側に対してフック状、あるいはかご状を呈しており、打設されたコンクリート１４、２１が当該フックやかご形状の内部にまで回り込み硬化することにより、架台２、４側コンクリート１４、２１とトラス筋９、１９とが互いに係合し合う状態となるので、上記特許文献１に開示された従来技術におけるアンカーボルトのような通常の定着手段と較べ、高い定着性を発揮する。
【００３６】
また、図８に示した、背景技術における鋼板製の上部ベースプレート８４にあっては、その上面に揚重用の吊り具であるアイプレート９２が設けられていた。しかしながら本実施形態におけるベースプレート６、１７にあっては、トラス筋９の、配力筋９ａ、１９ａやラチス筋９ｂ、１９ｂなどの突出部分を揚重用のフックとして利用することができるので、特段、アイプレートなどの吊り具を設ける必要がない。
【００３７】
また、図８および図９に示した鋼板製のベースプレート８４、８９の場合は、例えば２５ｍｍ程度の厚さ寸法のもので１５万円程度と非常に製造コストが高いものであったが、本実施形態の、トラス筋９、１９と袋ナット１１、２０とが一体化されたハーフプレキャストコンクリート版からなるベースプレート配力筋６、１７は、例えば９千円程度のコストで製造することができ、コスト面からも非常に有利である。
【００３８】
以上説明したように、本実施形態における免震装置の取付構造にあっては、建物の基礎１上に設置される免震装置５と、当該免震装置５と建物本体３の底部に構築されるコンクリート製の上部架台４との間に設けられる免震装置取付用の上部ベースプレート１７とを有し、上部ベースプレート１７は、トラス筋１９と、免震装置５の上面に上部ベースプレート１７を固定するためのボルト１８を螺合させる袋ナット２０とが一体化されたハーフプレキャストコンクリート版からなるとともに、当該トラス筋１９が上部架台４に一体的に埋設されることにより上部架台４に接合されることとしたので、上部ベースプレート１７を上部架台４に一体的に接合するための定着部の施工を大幅に簡略化することが可能となり、有利である。また、従来技術におけるアンカーボルトなどの定着手段に比して、本実施形態の上部ベースプレート１７におけるトラス筋１９は、より高い定着性を発揮するので、上部ベースプレート１７が上部架台４に対してより一層確実に接合されるため、有利である。また、トラス筋９が配筋されたハーフプレキャストコンクリート版からなる上部ベースプレート１７は、従来技術における、トラス筋を備えていないプレキャストコンクリート製のベースプレートに較べてひずみにくいため、免震装置５との間の高い密着性を維持することができ、有利である。また、トラス筋９が配筋されたハーフプレキャストコンクリート版からなる上部ベースプレート１７は、従来技術における、トラス筋を備えていないプレキャストコンクリート製のベースプレートに設けられる必要があった揚重用の吊り具を省略することができるため、有利である。また、本実施形態の上部ベースプレート１７に設けられる袋ナット２０は上方に突出した部分を有し、さらにこの上方突出部分には鍔部２０ａが形成されているため、上部架台４に埋設一体化されて、トラス筋９とあわせて上部架台４に対する定着性を発揮し、上部ベースプレート１７が上部架台４に対してより一層確実に接合されることが可能となるため、有利である。
【００３９】
また、本実施形態における免震装置５の取付構造にあっては、上部ベースプレート１７の平面形状は上部架台４の下面全体を覆うこととしたので、上部架台４のコンクリート２１を打設する際、図７に示した背景技術のような型枠Ｆや支保工Ｓを上部架台４の下面部分に設置する必要がないため、施工作業を簡略化することができ、有利である。
【００４０】
また、本実施形態における免震装置５の取付構造にあっては、免震装置５と、建物の基礎１上に立設されるコンクリート製の下部架台２との間に設けられる免震装置取付用の下部ベースプレート６を有し、当該下部ベースプレート６は、トラス筋９と、下部ベースプレート６上に免震装置５を固定するためのボルト１０を螺合させる袋ナット１１とが一体化されたハーフプレキャストコンクリート版からなるとともに、当該トラス筋９が下部架台２に一体的に埋設されることにより下部架台２に接合されることとしたので、上部ベースプレート１７同様、下部ベースプレート６を下部架台２に一体的に接合するための定着部の施工を大幅に簡略化することが可能となり、有利である。また、従来技術におけるアンカーボルトなどの定着手段に比して、本実施形態の下部ベースプレート６におけるトラス筋９は、より高い定着性を発揮するので、下部ベースプレート６が下部架台２に対してより一層確実に接合されるため、有利である。また、トラス筋９が配筋されたハーフプレキャストコンクリート版からなる下部ベースプレート６は、上部ベースプレート１７同様、従来技術における、トラス筋を備えていないプレキャストコンクリート製のベースプレートに較べてひずみにくいため、免震装置５との間の高い密着性を維持することができ、有利である。また、トラス筋９が配筋されたハーフプレキャストコンクリート版からなる下部ベースプレート６は、従来技術における、トラス筋を備えていないプレキャストコンクリート製のベースプレートに設けられる必要があった揚重用の吊り具を省略することができるため、有利である。また、本実施形態の下部ベースプレート６に設けられる袋ナット１１は下方に突出した部分を有し、さらにこの下方突出部分には鍔部１１ａが形成されているため、下部架台２に埋設一体化されて、トラス筋９とあわせて下部架台２に対する定着性を発揮し、下部ベースプレート６が下部架台２に対してより一層確実に接合されることが可能となるため、有利である。
【００４１】
また、本実施形態における免震装置５の取付構造の施工方法にあっては、免震装置５の上面に上部ベースプレート１７を固定するステップと、上部ベースプレート１７の上部にコンクリート２１を打設して上部架台４を構築するとともに、上部ベースプレート１７と上部架台４とを接合するステップとを有することとしたので、上部ベースプレート１７を上部架台４に一体的に接合するための定着部の施工を大幅に簡略化することが可能となり、有利である。
【００４２】
また、本実施形態における免震装置５の取付構造の施工方法にあっては、下部架台２のコンクリート打設空間２ａの上に、下部ベースプレート６を位置決め配置するステップと、下部架台２のコンクリート打設空間２ａにコンクリート１４を打設して下部架台２を構築するとともに、下部ベースプレート６と下部架台２とを接合するステップと、下部ベースプレート６の上面に免震装置５を固定するステップとを有することとしたので、上部ベースプレート１７同様、下部ベースプレート６を下部架台２に一体的に接合するための定着部の施工を大幅に簡略化することが可能となり、有利である。
【００４３】
また、本実施形態における免震装置５の取付構造の施工方法にあっては、下部ベースプレート６を位置決め配置するステップは、下部ベースプレート６のトラス筋９を建物の基礎１側に固定することによって下部ベースプレート６の位置ずれを防止するステップを含むこととしたので、図９に示す従来技術におけるスタッドボルト９１などの位置ずれ防止用の固定手段をわざわざ設ける必要がなく、トラス筋９を利用して下部ベースプレート６の位置ずれ防止を図ることができるため、有利である。
【００４４】
また、本実施形態における免震装置取付用ベースプレート６、１７にあっては、建物の基礎１上に設置される免震装置５と、建物本体３の底部に構築されるコンクリート製の上部架台４や建物の基礎１上に立設されるコンクリート製の下部架台２との間に設けられ、トラス筋９と、免震装置取付用ベースプレート６、１７に免震装置５を固定するためのボルト１０、１８を螺合させる袋ナット１１、２０とが一体化されたハーフプレキャストコンクリート版からなるとともに、当該トラス筋９が上部架台４や下部架台２に一体的に埋設されることにより当該上部架台４や当該下部架台２に接合されることとしたので、上部ベースプレート１７や下部ベースプレート６として使用するに際し、上部架台４や下部架台２に一体的に接合するための定着部の施工を大幅に簡略化することが可能となり、有利である。また、従来技術におけるアンカーボルトなどの定着手段に比して、本実施形態の免震装置取付用ベースプレート６、１７におけるトラス筋９、１９は、より高い定着性を発揮するので、免震装置取付用ベースプレート６、１７が上部架台４や下部架台２に対してより一層確実に接合されるため、有利である。また、トラス筋９、１９が配筋されたハーフプレキャストコンクリート版からなる免震装置取付用ベースプレート６、１７は、従来技術における、トラス筋を備えていないプレキャストコンクリート製のベースプレートに較べてひずみにくいため、免震装置５との間の密着性を高く維持することができ、有利である。また、トラス筋９、１９が配筋されたハーフプレキャストコンクリート版からなる免震装置取付用ベースプレートは、従来技術における、トラス筋を備えていないプレキャストコンクリート製のベースプレートに設けられる必要があった揚重用の吊り具を省略することができるため、有利である。また、本実施形態の免震装置取付用ベースプレート６、１７に設けられる袋ナット１１、２０は上方や下方に突出した部分を有し、さらにこの突出部分には鍔部１１ａ、２０ａが形成されているため、上部架台４や下部架台２に埋設一体化されて、トラス筋９とあわせて上部架台４や下部架台２に対する定着性を発揮し、当該免震装置取付用ベースプレート６、１７が上部架台４や下部架台２に対してより一層確実に接合されることが可能となるため、有利である。
【００４５】
また、下部架台２を構築する際のコンクリート打設空間２ａ内には通常、図示しない免震用ベース筋が先組みされるため、この免震用ベース筋を、アンカーボルトや袋ナットに干渉しないように精度良く組み立てておかなければならなかった。本実施形態にあっては、トラス筋９がその一部となることにより、免震用ベース筋を設置する際の手間を簡略化することができる。
【００４６】
上記実施形態の変形例として、下部ベースプレートには従来技術と同様の鋼板製のベースプレートなどを使用し、上部ベースプレートにのみ、上記実施形態の免震装置取付用ベースプレート１７を使用することとしてもよい。
【図面の簡単な説明】
【００４７】
【図１】本発明の免震装置の取付構造およびその施工方法の、好適な一実施形態を示す、工程の説明図である。
【図２】図１の施工方法の、図１の次の工程を示す説明図である。
【図３】図１の施工方法の、図２の次の工程を示す説明図である。
【図４】図１の施工方法の、完成状態を示す説明図である。
【図５】図１の免震装置の取付構造の、下部ベースプレートを示す平面図である。
【図６】図１の免震装置の取付構造の、上部ベースプレートを示す平面図である。
【図７】従来の免震装置の取付構造を示す説明図である。
【図８】図７の免震装置の取付構造の、上部ベースプレートを示す説明的な平面図である。
【図９】図７の免震装置の取付構造の、下部ベースプレートを示す説明的な平面図である。
【符号の説明】
【００４８】
１      （建物の）基礎
２      下部架台
３      建物本体
４      上部架台
５      免震装置
６      下部ベースプレート
９、１９    トラス筋
１０、１８  ボルト
１１、２０  袋ナット
１２    位置固定用鉄筋
１７    上部ベースプレート
【図１】
0004499006.tif 000002
【図２】
0004499006.tif 000003
【図３】
0004499006.tif 000004
【図４】
0004499006.tif 000005
【図５】
0004499006.tif 000006
【図６】
0004499006.tif 000007
【図７】
0004499006.tif 000008
【図８】
0004499006.tif 000009
【図９】
0004499006.tif 000010